【手続補正書】
【提出日】平成19年7月9日(2007.7.9)
【手続補正１】
【補正対象書類名】特許請求の範囲
【補正対象項目名】全文
【補正方法】変更
【補正の内容】
【特許請求の範囲】
【請求項１】
イメージ情報を入力する入力手段と、
前記入力手段で入力されたイメージ情報からベクトルデータを生成するベクトル化手段と、
前記ベクトル化手段で生成されたベクトルデータを記憶するための記憶手段と、
前記ベクトル化手段で生成されたベクトルデータに所定のオブジェクト情報が含まれているか否かを判定する判定手段と、
前記判定手段による判定の結果、前記ベクトルデータに前記所定のオブジェクト情報が含まれていると判定された場合に、当該ベクトルデータを前記記憶手段に保持させる制御手段と、
を備えることを特徴とする画像処理システム。
【請求項２】
前記判定手段による判定の結果、前記ベクトルデータに前記所定のオブジェクト情報が含まれていないと判定された場合に、当該ベクトルデータが前記記憶手段に記憶されることなく破棄されることを特徴とする請求項１に記載の画像処理システム。
【請求項３】
ユーザを認証する認証手段をさらに備え、
前記記憶手段が、前記認証手段によって認証されたユーザに関する情報を前記ベクトルデータに対応付けて記憶することを特徴とする請求項１又は２に記載の画像処理システム。
【請求項４】
前記ベクトルデータに含まれているオブジェクト情報と前記所定のオブジェクト情報との類似度に関する値を設定する設定手段をさらに備え、
前記判定手段は、前記類似度が前記設定手段により設定された値よりも大きい場合、前記ベクトルデータに前記所定のオブジェクト情報が含まれていると判定することを特徴とする請求項１から３までのいずれか１項に記載の画像処理システム。
【請求項５】
前記所定のオブジェクト情報として文字情報を入力する文字情報入力手段を更に備え、
前記ベクトル化手段が、前記イメージ情報から抽出された文字情報を含むベクトルデータを生成し、
前記判定手段が、前記ベクトル化手段によって生成された前記ベクトルデータに含まれる文字情報と前記文字情報入力手段によって入力された文字情報との類似度に基づいて前記判定を行う
ことを特徴とする請求項１から４までのいずれか１項に記載の画像処理システム。
【請求項６】
前記イメージ情報を複数のオブジェクトに分割する分割手段をさらに備え、
前記判定手段が、前記分割手段によって分割されたそれぞれのオブジェクトごとに独立に前記所定のオブジェクト情報が含まれているか否かを判定することを特徴とする請求項１から５までのいずれか１項に記載の画像処理システム。
【請求項７】
前記入力手段が、紙原稿を光学的に読み取って得られた前記イメージ情報を入力することを特徴とする請求項１から６までのいずれか１項に記載の画像処理システム。
【請求項８】
前記入力手段が、他装置が保持しているイメージ情報を有線通信又は無線通信を介して取得して入力することを特徴とする請求項１から６までのいずれか１項に記載の画像処理システム。
【請求項９】
前記イメージ情報を所定の文書作成ソフトウェアで取り扱い可能なフォーマットに変換するフォーマット変換手段をさらに備えることを特徴とする請求項１から８までのいずれか１項に記載の画像処理システム。
【請求項１０】
イメージ情報を入力する入力工程と、
前記入力工程で入力されたイメージ情報からベクトルデータを生成するベクトル化工程と、
前記ベクトル化工程で生成されたベクトルデータに所定のオブジェクト情報が含まれているか否かを判定する判定工程と、
前記判定工程による判定の結果、前記ベクトルデータに前記所定のオブジェクト情報が含まれていると判定された場合に、当該ベクトルデータを記憶装置に保持させる制御工程と、
を有することを特徴とする画像処理方法。
【請求項１１】
コンピュータに、
イメージ情報を入力する入力手順と、
前記入力手順で入力されたイメージ情報からベクトルデータを生成するベクトル化手順と、
前記ベクトル化手順で生成されたベクトルデータに所定のオブジェクト情報が含まれているか否かを判定する判定手順と、
前記判定手順における判定の結果、前記ベクトルデータに前記所定のオブジェクト情報が含まれていると判定された場合に、当該ベクトルデータを記憶装置に保持させる制御手順と、
を実行させるためのプログラム。
【請求項１２】
イメージ情報を入力する入力手段と、
前記入力手段で入力されたイメージ情報を記憶するための記憶手段と、
所定のキーワード情報を保持する保持手段と、
前記入力手段で入力されたイメージ情報に含まれるキーワード情報を識別する識別手段と、
前記保持手段で保持しているキーワード情報と前記識別手段で識別したキーワード情報とが一致するか否かを判定する判定手段と、
前記判定手段による判定の結果、前記保持手段で保持しているキーワード情報と前記識別手段で識別したキーワード情報とが一致すると判定された場合に、前記入力手段で入力した前記イメージ情報を前記記憶手段に保持させる制御手段と、
を備えることを特徴とする画像処理システム。
【請求項１３】
前記判定手段は前記保持手段が保持する前記キーワード情報の文字種と前記識別手段で識別した前記キーワード情報の文字種とが一致した場合に両者が一致すると判定することを特徴とする請求項１２に記載の画像処理システム。
【請求項１４】
ユーザを認証する認証手段をさらに備え、
前記記憶手段が、前記認証手段によって認証されたユーザに関する情報を前記入力手段で入力した前記イメージ情報と対応付けて記憶することを特徴とする請求項１２又は１３に記載の画像処理システム。
【請求項１５】
前記入力手段で入力したイメージ情報をベクトル化するベクトル化手段をさらに備え、
前記記憶手段は前記入力手段で入力したイメージ情報を前記ベクトル化手段でベクトル化した後に記憶することを特徴とする請求項１２から１４までのいずれか１項に記載の画像処理システム。
【請求項１６】
イメージ情報を入力する入力工程と、
所定のキーワード情報を保持する保持工程と、
前記入力工程で入力されたイメージ情報に含まれるキーワード情報を識別する識別工程と、
前記保持工程で保持しているキーワード情報と前記識別工程で識別したキーワード情報とが一致するか否かを判定する判定工程と、
前記判定工程における判定の結果、前記保持工程で保持しているキーワード情報と前記識別工程で識別したキーワード情報とが一致すると判定された場合に、前記入力工程で入力した前記イメージ情報を記憶装置に保持させる制御工程と、
を有することを特徴とする画像処理方法。
【請求項１７】
コンピュータに、
イメージ情報を入力する入力手順と、
所定のキーワード情報を保持する保持手順と、
前記入力手順で入力されたイメージ情報に含まれるキーワード情報を識別する識別手順と、
前記保持手順で保持しているキーワード情報と前記識別手順で識別したキーワード情報とが一致するか否かを判定する判定手順と、
前記判定手順における判定の結果、前記保持手順で保持しているキーワード情報と前記識別手順で識別したキーワード情報とが一致すると判定された場合に、前記入力手順で入力した前記イメージ情報を記憶装置に保持させる制御手順と、
を実行させるためのプログラム。
【請求項１８】
請求項１１又は１７に記載のプログラムを格納したことを特徴とするコンピュータ読み取り可能な記録媒体。
【手続補正２】
【補正対象書類名】明細書
【補正対象項目名】０００７
【補正方法】変更
【補正の内容】
【０００７】
上記課題を解決するために、本発明に係る画像処理システムは、イメージ情報を入力する入力手段と、前記入力手段で入力されたイメージ情報からベクトルデータを生成するベクトル化手段と、前記ベクトル化手段で生成されたベクトルデータを記憶するための記憶手段と、前記ベクトル化手段で生成されたベクトルデータに所定のオブジェクト情報が含まれているか否かを判定する判定手段と、前記判定手段による判定の結果、前記ベクトルデータに前記所定のオブジェクト情報が含まれていると判定された場合に、当該ベクトルデータを前記記憶手段に保持させる制御手段と、を備えることを特徴とする。
【手続補正３】
【補正対象書類名】明細書
【補正対象項目名】０００８
【補正方法】変更
【補正の内容】
【０００８】
また、上記課題を解決するために、本発明に係る画像処理方法は、イメージ情報を入力する入力工程と、前記入力工程で入力されたイメージ情報からベクトルデータを生成するベクトル化工程と、前記ベクトル化工程で生成されたベクトルデータに所定のオブジェクト情報が含まれているか否かを判定する判定工程と、前記判定工程による判定の結果、前記ベクトルデータに前記所定のオブジェクト情報が含まれていると判定された場合に、当該ベクトルデータを記憶装置に保持させる制御工程と、を有することを特徴とする。
【手続補正４】
【補正対象書類名】明細書
【補正対象項目名】０００９
【補正方法】変更
【補正の内容】
【０００９】
さらに、上記課題を解決するために、本発明に係る画像処理システムは、イメージ情報を入力する入力手段と、前記入力手段で入力されたイメージ情報を記憶するための記憶手段と、所定のキーワード情報を保持する保持手段と、前記入力手段で入力されたイメージ情報に含まれるキーワード情報を識別する識別手段と、前記保持手段で保持しているキーワード情報と前記識別手段で識別したキーワード情報とが一致するか否かを判定する判定手段と、前記判定手段による判定の結果、前記保持手段で保持しているキーワード情報と前記識別手段で識別したキーワード情報とが一致すると判定された場合に、前記入力手段で入力した前記イメージ情報を前記記憶手段に保持させる制御手段と、を備えることを特徴とする画像処理システム。
【手続補正５】
【補正対象書類名】明細書
【補正対象項目名】００１０
【補正方法】変更
【補正の内容】
【００１０】
さらにまた、上記課題を解決するために、本発明に係る画像処理方法は、イメージ情報を入力する入力工程と、所定のキーワード情報を保持する保持工程と、前記入力工程で入力されたイメージ情報に含まれるキーワード情報を識別する識別工程と、前記保持工程で保持しているキーワード情報と前記識別工程で識別したキーワード情報とが一致するか否かを判定する判定工程と、前記判定工程における判定の結果、前記保持工程で保持しているキーワード情報と前記識別工程で識別したキーワード情報とが一致すると判定された場合に、前記入力工程で入力した前記イメージ情報を記憶装置に保持させる制御工程と、を有することを特徴とする。